(57)【要約】      （修正有）【課題】平板状に折り畳み可能なスタンド式ＰＯＰディスプレイにおいて、別部品を追加することなく、組立状態の支持体に水平方向の要素を含む力が加わった場合でも容易に変形することのない、支持体下部の安定性に優れたスタンド式ＰＯＰディスプレイを提供する。【解決手段】折り畳み可能に構成された剛性シート製で略四角筒状の支持体の正面板に折り畳み可能な表示パネルＢが取り付けられ、この支持体と表示パネルＢとを取付状態のままでそれぞれ折り畳んで表示パネルを折り畳まれた支持体の内側に収納できるようにスタンド式ＰＯＰディスプレイを構成する。さらに、前記支持体下部の背面板１５ｃの一部を補強片２０として前記支持体の内側に折り曲げ、この補強片の左右に形成された係止片２１が前記支持体の側面板に形成された係止孔２６に挿入係止してスタンド式ＰＯＰディスプレイを構成する。【選択図】図１
0003162076.tif 000002
【実用新案登録請求の範囲】
【請求項１】
折り畳み可能に構成された剛性シート製で略四角筒状の支持体の正面板に折り畳み可能な表示パネルが取り付けられ、この支持体と表示パネルとを取付状態のままでそれぞれ折り畳んで表示パネルを折り畳まれた支持体の内側に収納できるスタンド式ＰＯＰディスプレイにおいて、
前記支持体下部の背面板の一部が補強片として前記支持体の内側に折り曲げられ、この補強片の左右に形成された係止片が前記支持体の側面板に形成された係止孔に挿入係止された、スタンド式ＰＯＰディスプレイ。
【請求項２】
正面板の上端には支持体の上端開口部を閉鎖する天面板が連接され、この天面板の左右に形成された係止片が前記支持体の上端縁部に形成された係止孔に挿入係止された、請求項１記載のスタンド式ＰＯＰディスプレイ。
【考案の詳細な説明】
【技術分野】
【０００１】
この考案は、店頭などに設置して使用する折り畳み可能なスタンド式ＰＯＰディスプレイに関するものである。
【背景技術】
【０００２】
従来より、各種商品やサービスのキャンペーンなどを消費者に告知するための広告物として、等身大パネルなど比較的大型の広告パネルを備えたスタンド式ＰＯＰディスプレイが存在している。そして、輸送の便のために全体を紙製として未使用時には平板状に折りたためるようにしたものが提案されている。
例えば、実用新案登録第３０８９１５７号公報に記載されたスタンド式ＰＯＰディスプレイは、表示パネルとこの表示パネルを支持する支持体とを備えてなるものであるが、未使用時には表示パネルを折り畳むと共に、支持体を折り畳んで箱体を構成し、この箱体の中に折り畳んだ表示パネルを収納でき、使用時においては、略柱状の支持体が表示パネルの裏側に組み立てられる。
【特許文献１】実用新案登録第３０８９１５７号公報
【０００３】
ところが、この柱状の支持体は、その組立状態において底面が開口していることから、支持体に水平方向の要素を含む力が加わると変形しやすい。
しかも、支持体側面下部には箱状に折り畳むための折線が存在し、折り畳み状態から展開して組み立てているために、組立状態においてはこの折線に沿った折りぐせが残り、支持体側面はこの折線に沿って折れ曲がり易くなっている。
特に、表示パネルが後方に傾斜して取り付けられていると、重量が支持体の下部背面側にかかりやすいので、この折線部分で側面板が一層に曲がりやすくなり、支持体下部の安定性に欠けるという問題がある。
【０００４】
かかる問題を解決するものとして、例えば、特許第３８３８０１６号公報に記載された発明がある。この発明は、支持体の下部背面を開放して左右側面板にスリットを設け、このスリットに固定板を嵌め込むことによって支持体が水平方向に変形することを防止している。
しかしながら、この固定板は支持体とは別個の部品であることから、表示パネルと支持体とを一体的に構成し、それのみで折り畳み及び組み立てが可能なスタンド式ＰＯＰディスプレイを得ることができないばかりか、運搬時などに紛失するおそれがあるとともに、部品点数の増加によってコストも増加するという問題がある。
【特許文献２】特許第３８３８０１６号公報
【考案の開示】
【考案が解決しようとする課題】
【０００５】
この考案は、表示パネルと支持体とを一体的に構成し、折り畳み及び組み立てが可能なスタンド式ＰＯＰディスプレイにおいて、別部品を追加することなく、組立状態の支持体に水平方向の要素を含む力が加わった場合でも容易に変形することのない、支持体下部の安定性に優れたスタンド式ＰＯＰディスプレイを得ることを課題とするものである。
【課題を解決するための手段】
【０００６】
この考案は、折り畳み可能に構成された剛性シート製で略四角筒状の支持体の正面板に折り畳み可能な表示パネルが取り付けられ、この支持体と表示パネルとを取付状態のままでそれぞれ折り畳んで表示パネルを折り畳まれた支持体の内側に収納できるスタンド式ＰＯＰディスプレイにおいて、前記支持体下部の背面板の一部を補強片として前記支持体の内側に折り曲げ、この補強片の左右に形成された係止片を前記支持体の側面板に形成された係止孔に挿入係止したものである。
請求項２の考案は、正面板の上端には支持体の上端開口部を閉鎖する天面板が連接され、この天面板の左右に形成された係止片が前記支持体の上端縁部に形成された係止孔に挿入係止したものである。
前記剛性シートとしては、段ボール紙が好適であるが、適度の厚みをもつ合成樹脂シートを使用することもできる。
【考案の効果】
【０００７】
この考案によれば、支持体下部の背面板の一部を補強片として支持体の内側に折りまげたので、補強片の左右の縁が支持体の内壁を支持することとなり、支持体側板の変形が防止され、支持体にかかる水平方向の要素を含む力に抗することができる。
したがって、表示パネルと支持体とを一体的に構成し、それのみで折り畳み及び組み立てが可能なスタンド式ＰＯＰディスプレイにおいて、別部品を用いずに、支持体下部の安定性に優れたスタンド式ＰＯＰディスプレイを得ることができる。
更に、請求項２の考案によれば支持体の上端部の変形も防止できるので、支持体を上下に亘って所定の形状に保持することができ、安定した支持状態を得ることができる。
【考案を実施するための最良の形態】
【０００８】
図１において、支持体Ａの正面壁に表示パネルＢを糊付けにより固着してＰＯＰディスプレイを構成している。
前記支持体Ａは、図２（背面側展開図）に示す構成の段ボール紙を折りまげて構成されている。
支持体Ａを構成する段ボール紙１は上部、中部、下部に分かれており、上部と中部の間には上下に近接して平行に設けられた折線３０，３１によってマチが形成され、中部と下部の間には折線３２，３３によってマチが形成され、段ボール紙１が折り畳め、かつ折り畳み状態において内側に表示パネルＢを挟み込めるようにしてある。
【０００９】
前記段ボール紙１の左右中央部には縦長長方形の正面板２が配置され、正面板２の上縁には両端に係止片３，３を備えた略矩形状の天面板４が折線５を介して連設され、正面板２の左右両側には略台形状の左側面板６，右側面板７が折線８，８を介してほぼ左右対称に連設され、側面板６，７の外側縁にはそれぞれ左背面板１４、右背面板１５が折線１２，１３を介して連設配置されている。
また、前記側面板６，７の上側には、折線９，９を介して略矩形状の折りまげ片１０，１０が連設され、折線９，９上には天面板４の係止片３，３を係止するための係止孔となるスリット１１，１１が形成されている。
【００１０】
前記背面板１４，１５は前記マチによって区画された中部、下部毎に独立して屈曲できるように分割されている。
前記上部の背面板１４ａ，１５ａは正面板と平行に屈曲して支持体Ａの背面を塞ぐのみで、格別の固定構造は備えていない。尤も、左右の背面板１４ａ，１５ａを互いに係止固定できるようにしてもよい。
【００１１】
中部の背面板１４ｂ、１５ｂはいずれも側面板６．７を正面板と直角に屈曲した状態において、側面板６，７間に形成される背面の間隙を閉鎖する寸法としてある。そして左背面板１４ｂは正面板と平行に屈曲させて支持体Ａを補強するものであり、右背面板１５ｂは、その外側縁上下２箇所に形成された係止片１５２Ａを、折線１２上に形成されたスリット１４２Ａに挿入係止されている。
【００１２】
下部においては、左側には背面板が設けてなく、左側面板６の外側縁下部に係止片２５が連接され、この係止片２５が正面板と平行に屈曲された下部の右背面板１５ｃに形成されたスリット２４に挿入係止されている。
【００１３】
前記下部の右背面板１５ｃは、上下中間部に横方向の折線１９が設けてあり、この折線１９よりも上方が補強片２０としてある。
この補強片２０は支持体Ａの内側へ、下向きに折りまげられ、補強片２０の左右両側に設けられた係止片２１が左右の側面板６，７に形成された係止孔２６に挿入係止されている。
支持体１の下部内側には下部背面板１５ｃに連設された補強片２０が折り曲げて差し込まれ、係止片２１，２１によって左右側面板６，７と連結された状態になっているので、この補強片２０によって支持体１にかかる水平方向の要素を含む力に抗することができ、底面板を備えない支持体１下部における強度が向上する。
【００１４】
上記の他、この段ボール紙１は折り畳み状態が平面方形となるように以下の構成を備えている。
左右背面板１４，１５の上部側縁１４１，１５１の下方延長線上には折線２７，２７がそれぞれ左右側面板１４，１５、左右側面板６，７を通ってその抉り部６１，７１まで直線に形成され、この折線２７，２７の外側には僅かな間隔を介して折線２８，２８がこれと平行に形成されている。
左右側面板６，７の下部には、折線２７，２７の下方延長線上に、抉り部６１，７１から下端にかけて折線２９，２９が直線状に形成されている。
これら折線２７，２８，２９は、前記折線３０，３１，３２，３３と共に、段ボール紙１で構成された支持体Ａを平面状に折り畳むための折線である。
【００１５】
また表示パネルＢには、段ボール紙１（支持体Ａ）の折線３０よりも下方に折線３６が、折線３２よりも上方に折線３７が形成されており、この折線３６，３７に従って支持体１との固着面と反対側に三つ折りにして折り畳むことができる。
【００１６】
図３は、スタンド式ＰＯＰディスプレイの組立過程を示す図である。
まず、展開状態になっている左右側面板６，７をそれぞれ折線８，８によって表示パネルＢが取り付けられた側と反対側に折り曲げて段ボール紙１（支持体Ａ）の側面板６，７を立ち上げる。
次いで、折線１２によって左背面板１４を右側面板７方向に折り曲げ、折線１３によって右背面板１５を左側面板６方向に折り曲げる。そして、左背面板６が支持体１の内側になるよう右背面板７を重ね合わせ、右背面板７ｂの端縁に設けられた２片の係止片１５２Ａを折線１２上に形成された２つのスリット１４２Ａにそれぞれ差し込んで、背面板を係脱可能に係止させる。
次いで、下部の右側面板７ｃに形成された折線１７によって下部背面板１５ｃを左側面板６方向に折り曲げる。そして、下部背面板１５ｃに連設された係止片２３を折線２２で折り曲げるとともに、下部左側面板６ｃに設けられた係止片２５を折り曲げて折線２２上に形成されたスリット２４に差し込んで下部背面板１５ｃを係脱可能に係止させる。
さらに、下部背面板１５ｃに連設され補強片２０を折線１９によって下向きに折り曲げて支持体Ａの内部に差し込み、その両端に設けられた係止片２１，２１をそれぞれ下部の左右側面板６ｃ，７ｃに形成された係止孔２６，２６に差し込んで固定する。
最後に、上部左右側面板６ａ，７ａの上側に連設された係止片１０，１０をそれぞれ折線９，９を介して内側に折り曲げ、天面板４を折線５で折り曲げるとともに天面板４の左右両端に設けられた係止片３，３を折線９，９上のスリット１１，１１に差し込んで、支持体Ａが組み立てられる。
【００１７】
図４は、スタンド式ＰＯＰディスプレイの折り畳み過程を示す図である。
折り畳み時は、展開状態において表示パネルＢが表側になるように載置して作業を行う。
まず、表示パネルＢを折線３６，３７に従って手前方向に折り曲げて三つ折りにして折り畳む。このとき、表示パネルＢは固着部３５において段ボール紙１（支持体Ａ）と固着された状態のままで折り畳むことができる。
段ボール紙１（支持体Ａ）は、左右側面板６，７の下部に形成された折線２９，２９に従って外側を内側に完全に折り畳んでおく。
次いで、左右の折線２７，２７を手前側に折り曲げ、さらに折線２８，２８に従って表示パネルＢを左右から包み込むように折り曲げる。
その後、折線３０に従ってその上側を手前に折り曲げて立ち上げ、さらに折線３１に従って表示パネルＢを上方から包み込むように折り曲げる。
最後に、折線２９，２９に従って折り畳まれている段ボール紙１（支持体Ａ）下部を、折線３２に従って折り曲げて立ち上げ、さらに折線３３に従って表示パネルＢを下方から包み込むように折り曲げる。
このようにして、スタンド式ＰＯＰディスプレイは、内部に表示パネルＢを収納した状態の薄い平面状に折り畳むことができる（図５参照）。
【産業上の利用可能性】
【００１８】
この考案は、店頭などに設置して使用する折り畳み可能なスタンド式ＰＯＰディスプレイに関するものであって、産業上の利用可能性を有するものである。
【図面の簡単な説明】
【００１９】
【図１】この考案実施例の背面側斜視図
【図２】同じく展開状態の背面図
【図３】同じく組立過程を示す背面側斜視図
【図４】同じく折畳過程を示す正面側斜視図
【図５】同じく折畳状態を示す斜視図
【符号の説明】
【００２０】
Ａ    支持体
Ｂ    表示パネル
１    段ボール紙
２    正面板
３    係止片
４    天面板
５    折線
６    左側面板
７    右側面板
８    折線
９    折線
１０  折り曲げ片
１１  スリット
１２  折線
１３  折線
１４  左背面板
１５  右背面板
１５ｃ 下部背面板
１７  折線
１８  切断線
１９  折線
２０  補強片
２１  係止片
２２  折線
２３  係止片
２４  スリット
２５  係止片
２６  係止孔
２７  折線
２８  折線
２９  折線
３０  折線
３１  折線
３２  折線
３３  折線
３６  折線
３７  折線
【図１】
0003162076.tif 000003
【図２】
0003162076.tif 000004
【図３】
0003162076.tif 000005
【図４】
0003162076.tif 000006
【図５】
0003162076.tif 000007